(57)【要約】【課題】回路規模の増大を招くことなく、且つ、低圧ＩＣ用直流出力の経路に降圧用素子を挿入することなく、電源供給対象ＩＣに規格電圧の動作電源を供給する。【解決手段】電圧安定化回路１１から送出される低圧ＩＣ用直流出力５を動作電源とする電源供給対象ＩＣ２１を備え、電源供給対象ＩＣ２１の動作電源の規格電圧が、低圧ＩＣ用直流出力５の電圧の設定可能範囲の最低値より低い電圧である構成において、低圧ＩＣ用直流出力５の電圧誤差の検出対象となる電圧を検出する検出位置１５から、電源供給対象ＩＣ２１の動作電源の入力端子の位置であるＩＣ給電位置２１１までの電流経路における電圧降下量に、電源供給対象ＩＣ２１の動作電源の規格電圧を加算した値を、検出位置１５における電圧の設定可能範囲内の電圧としている。【選択図】図１
0003117685.tif 000002
【実用新案登録請求の範囲】
【請求項１】
第１のプリント配線基板に設けられ、低圧ＩＣ用直流出力を送出する電圧安定化回路と、
第２のプリント配線基板に設けられ、電圧安定化回路から送出される低圧ＩＣ用直流出力を動作電源とする電源供給対象ＩＣとを備え、
電源供給対象ＩＣを光ディスクから再生された信号の処理を行うＩＣとし、
低圧ＩＣ用直流出力は、第１のプリント配線基板と第２のプリント配線基板とを電気的に接続するフレキシブルフラットケーブルを介して、第１のプリント配線基板から第２のプリント配線基板に導かれ、
電源供給対象ＩＣの動作電源の規格電圧が、低圧ＩＣ用直流出力の電圧の設定可能範囲の最低値より低い電圧となっている光ディスク装置において、
低圧ＩＣ用直流出力の経路上の位置であって低圧ＩＣ用直流出力の電圧誤差の検出対象となる電圧を検出する検出位置から、電源供給対象ＩＣの動作電源の入力端子の位置であるＩＣ給電位置までの低圧ＩＣ用直流出力の電流経路における電圧降下量に、電源供給対象ＩＣの動作電源の規格電圧を加算した値を、検出位置における電圧の設定可能範囲内の電圧とし、
フレキシブルフラットケーブルにおける低圧ＩＣ用直流出力の経路はフレキシブルフラットケーブルの１本の芯線によって形成され、フレキシブルフラットケーブルにおける接地レベルの経路はフレキシブルフラットケーブルの複数の芯線によって形成されていることを特徴とする光ディスク装置。
【請求項２】
低圧ＩＣ用直流出力を送出する電圧安定化回路と、
電圧安定化回路から送出される低圧ＩＣ用直流出力を動作電源とする電源供給対象ＩＣとを備え、
電源供給対象ＩＣの動作電源の規格電圧が、低圧ＩＣ用直流出力の電圧の設定可能範囲の最低値より低い電圧となっている電子装置において、
低圧ＩＣ用直流出力の経路上の位置であって低圧ＩＣ用直流出力の電圧誤差の検出対象となる電圧を検出する検出位置から、電源供給対象ＩＣの動作電源の入力端子の位置であるＩＣ給電位置までの低圧ＩＣ用直流出力の電流経路における電圧降下量に、電源供給対象ＩＣの動作電源の規格電圧を加算した値を、検出位置における電圧の設定可能範囲内の電圧としたことを特徴とする電子装置。
【請求項３】
電圧安定化回路は第１のプリント配線基板に設けられ、
電源供給対象ＩＣは第２のプリント配線基板に設けられ、
第１のプリント配線基板と第２のプリント配線基板とはフレキシブルフラットケーブルを介して電気的に接続され、
低圧ＩＣ用直流出力は、前記フレキシブルフラットケーブルを介して、第１のプリント配線基板から第２のプリント配線基板に導かれていることを特徴とする請求項２に記載の電子装置。
【請求項４】
フレキシブルフラットケーブルにおける低圧ＩＣ用直流出力の経路はフレキシブルフラットケーブルの１本の芯線によって形成され、フレキシブルフラットケーブルにおける接地レベルの経路はフレキシブルフラットケーブルの複数の芯線によって形成されていることを特徴とする請求項３に記載の電子装置。
【考案の詳細な説明】
【技術分野】
【０００１】
本考案は、電源供給対象ＩＣの動作電源の規格電圧が、動作電源を生成する電圧安定化回路の出力電圧の設定可能範囲の最低値より低い電圧となっている光ディスク装置および電子装置に関する。
【背景技術】
【０００２】
ＤＶＤプレイヤの信号処理に使用されるＩＣは、多くの機能が１つのパッケージ内に集積化されているので、動作電源の電流値が大きい。その結果、電圧安定化回路から出力される動作電源をＩＣまで導く経路に生じる電圧降下が、ときには無視できない値となることがある。このため、直流出力の経路における電圧降下が無視できなくなる場合の問題を解決する技術が提案されている（第１の従来技術とする）。
【０００３】
すなわち、この技術は、異なる経路長のプリント配線パターンを介して直流出力が供給される複数の負荷が設けられた構成に適用されている。そして、平均電圧生成回路を設け、この平均電圧生成回路に、複数の負荷のそれぞれの給電位置において検出した電圧と、直流出力の出力点の電圧とを導いている。また、平均電圧生成回路を、導かれた複数の電圧のうちで、電圧値が最も高い電圧と最も低い電圧との平均となる電圧を生成し、出力するように構成している。且つ、直流出力の電圧誤差を、平均電圧生成回路によって生成された平均電圧に基づいて検出している。従って、プリント配線パターンの経路による電圧降下量が異なる複数の負荷に関して、電圧降下量が最も大きくなる負荷については、電圧の最低値を許容範囲内の電圧とすることができ、且つ、電圧降下量が最も小さくなる負荷については、電圧の最高値を許容範囲内の電圧とすることができる（例えば、特許文献１参照）。
【０００４】
また、直流出力の経路における電圧降下に関連した技術として、以下に示す技術が提案されている（第２の従来技術とする）。すなわち、電圧安定化回路は、直流出力の電圧を、電圧誤差を検出するときの基準となる電圧より低い電圧に安定化できない。従って、例えば、基準となる電圧が１．２５ＶであるＩＣを電圧安定化回路に使用するときでは、直流出力の電圧の可変範囲は１．２５Ｖより高い範囲となる。その一方で、ＩＣの動作電源の規格電圧は低くなる傾向にあり、動作電源の規格電圧が１．２ＶであるＩＣを使用しなければならない場合がある。このようなときでは、ＩＣへの動作電源の供給経路に抵抗あるいはダイオード等の降圧用素子を挿入し、降圧用素子による電圧降下によって、１．２５Ｖの電圧を１．２Ｖまで降下させている。
【特許文献１】特開２００１−１４５３３６号公報
【考案の開示】
【考案が解決しようとする課題】
【０００５】
しかしながら、第２の従来技術を用いるときでは、動作電源の供給経路に挿入する降圧用素子が必要になるので、素子数が増加するという問題を生じ、コストアップ等の望ましくない結果を招く。
【０００６】
第１の従来技術は、複数の電圧値のうち、電圧値が最も高い電圧と最も低い電圧との平均電圧に基づいて、直流出力の電圧を安定化する構成であるため、前記平均電圧の範囲については、誤差検出に使用される基準電圧より高い電圧範囲に安定化できるに過ぎない。しかし、このことは、電圧値が最も低い電圧に関しては、基準電圧より低い電圧に安定化できることを意味する。また、同時に、基準電圧より高い電圧を生成して平均電圧生成回路に与える必要があることをも意味する。言い換えるなら、第１の従来技術を用いて、基準電圧より低い電圧範囲の電圧を生成するためには、基準電圧より高い電圧を発生する電圧発生回路と平均電圧生成回路との双方が不可欠となるので、回路規模の増大を招く。
【０００７】
本考案は、上記の問題点を解決するため創案されたものであり、その目的は、回路規模の増大を招くことなく、且つ、低圧ＩＣ用直流出力の経路に降圧用素子を挿入することなく、電源供給対象ＩＣに規定電圧の動作電源を供給することのでき、且つ、低圧ＩＣ用直流出力の経路における電圧降下量の最適化を容易にすることのでき、且つ、異なるＩＣに流れる電流に変動が生じるときにも、電源供給対象ＩＣの動作電源の電圧変動を抑制することのできる光ディスク装置を提供することにある。
【０００８】
また本考案の目的は、低圧ＩＣ用直流出力を動作電源とする電源供給対象ＩＣを備えた構成において、低圧ＩＣ用直流出力の電流経路における電圧降下量に、電源供給対象ＩＣの動作電源の規格電圧を加算した値を、低圧ＩＣ用直流出力の電圧の設定可能範囲内の電圧とすることにより、回路規模の増大を招くことなく、且つ、低圧ＩＣ用直流出力の経路に降圧用素子を挿入することなく、電源供給対象ＩＣに規定電圧の動作電源を供給することのできる電子装置を提供することにある。
【０００９】
また、上記目的に加え、低圧ＩＣ用直流出力の経路の一部にフレキシブルフラットケーブルを用いることにより、低圧ＩＣ用直流出力の経路における電圧降下量の最適化を容易にすることのできる電子装置を提供することにある。
【００１０】
また、上記目的に加え、低圧ＩＣ用直流出力の経路をフレキシブルフラットケーブルの１本の芯線によって形成し、接地レベルの経路を複数の芯線によって形成することにより、異なるＩＣに流れる電流に変動が生じるときにも、電源供給対象ＩＣの動作電源の電圧変動を抑制することのできる電子装置を提供することにある。
【課題を解決するための手段】
【００１１】
上記の課題を解決するため、本考案に係る光ディスク装置は、第１のプリント配線基板に設けられ、低圧ＩＣ用直流出力を送出する電圧安定化回路と、第２のプリント配線基板に設けられ、電圧安定化回路から送出される低圧ＩＣ用直流出力を動作電源とする電源供給対象ＩＣとを備え、電源供給対象ＩＣを光ディスクから再生された信号の処理を行うＩＣとし、低圧ＩＣ用直流出力は、第１のプリント配線基板と第２のプリント配線基板とを電気的に接続するフレキシブルフラットケーブルを介して、第１のプリント配線基板から第２のプリント配線基板に導かれ、電源供給対象ＩＣの動作電源の規格電圧が、低圧ＩＣ用直流出力の電圧の設定可能範囲の最低値より低い電圧となっている光ディスク装置に適用している。そして、低圧ＩＣ用直流出力の経路上の位置であって低圧ＩＣ用直流出力の電圧誤差の検出対象となる電圧を検出する検出位置から、電源供給対象ＩＣの動作電源の入力端子の位置であるＩＣ給電位置までの低圧ＩＣ用直流出力の電流経路における電圧降下量に、電源供給対象ＩＣの動作電源の規格電圧を加算した値を、検出位置における電圧の設定可能範囲内の電圧とし、フレキシブルフラットケーブルにおける低圧ＩＣ用直流出力の経路はフレキシブルフラットケーブルの１本の芯線によって形成し、フレキシブルフラットケーブルにおける接地レベルの経路はフレキシブルフラットケーブルの複数の芯線によって形成している。
【００１２】
すなわち、低圧ＩＣ用直流出力の電流経路における電圧降下量に、電源供給対象ＩＣの動作電源の規格電圧を加算した値（以下では、加算電圧と称する）は、検出位置における電圧の設定可能範囲内の電圧となっている。従って、検出位置の電圧を加算電圧とすることができる。そして、検出位置の電圧を加算電圧とするときでは、電源供給対象ＩＣに供給される電圧は、電源供給対象ＩＣの動作電源の規定電圧に等しい電圧となる。また、フレキシブルフラットケーブルの芯線の厚みを変更するときでは、この変更に伴って、低圧ＩＣ用直流出力の経路における電圧降下量が変化する。また、異なるＩＣに流れる電流に変動が生じたときには、接地レベルに流れる電流に変動が生じる。しかし、接地レベルの経路を複数の芯線によって形成するときでは、接地レベルの等価的な直流抵抗成分が小さくなる。従って、接地レベルに流れる電流の変動によって生じる第２のプリント配線基板の接地レベルの電位変動は微小な値に抑制される。
【００１３】
また本考案に係る電子装置は、低圧ＩＣ用直流出力を送出する電圧安定化回路と、電圧安定化回路から送出される低圧ＩＣ用直流出力を動作電源とする電源供給対象ＩＣとを備え、電源供給対象ＩＣの動作電源の規格電圧が、低圧ＩＣ用直流出力の電圧の設定可能範囲の最低値より低い電圧となっている電子装置に適用し、低圧ＩＣ用直流出力の経路上の位置であって低圧ＩＣ用直流出力の電圧誤差の検出対象となる電圧を検出する検出位置から、電源供給対象ＩＣの動作電源の入力端子の位置であるＩＣ給電位置までの低圧ＩＣ用直流出力の電流経路における電圧降下量に、電源供給対象ＩＣの動作電源の規格電圧を加算した値を、検出位置における電圧の設定可能範囲内の電圧としている。
【００１４】
すなわち、低圧ＩＣ用直流出力の電流経路における電圧降下量に、電源供給対象ＩＣの動作電源の規格電圧を加算した値（以下では、加算電圧と称する）は、検出位置における電圧の設定可能範囲内の電圧となっている。従って、検出位置の電圧を加算電圧とすることができる。そして、検出位置の電圧を加算電圧とするときでは、電源供給対象ＩＣに供給される電圧は、電源供給対象ＩＣの動作電源の規定電圧に等しい電圧となる。
【００１５】
また、上記構成に加え、電圧安定化回路は第１のプリント配線基板に設けられ、電源供給対象ＩＣは第２のプリント配線基板に設けられ、第１のプリント配線基板と第２のプリント配線基板とはフレキシブルフラットケーブルを介して電気的に接続され、低圧ＩＣ用直流出力は、前記フレキシブルフラットケーブルを介して、第１のプリント配線基板から第２のプリント配線基板に導かれている。
【００１６】
すなわち、フレキシブルフラットケーブルの芯線の厚みを変更するときでは、この変更に伴って、低圧ＩＣ用直流出力の経路における電圧降下量が変化する。
【００１７】
また、上記構成に加え、フレキシブルフラットケーブルにおける低圧ＩＣ用直流出力の経路はフレキシブルフラットケーブルの１本の芯線によって形成され、フレキシブルフラットケーブルにおける接地レベルの経路はフレキシブルフラットケーブルの複数の芯線によって形成されている。
【００１８】
すなわち、異なるＩＣに流れる電流に変動が生じたときには、接地レベルに流れる電流に変動が生じる。しかし、接地レベルの経路を複数の芯線によって形成するときでは、接地レベルの等価的な直流抵抗成分が小さくなる。従って、接地レベルに流れる電流の変動によって生じる第２のプリント配線基板の接地レベルの電位変動は微小な値に抑制されることになる。
【考案の効果】
【００１９】
本考案によれば、低圧ＩＣ用直流出力の電流経路における電圧降下量に、電源供給対象ＩＣの動作電源の規格電圧を加算した値（加算電圧）は、検出位置における電圧の設定可能範囲内の電圧となっている。従って、検出位置の電圧を加算電圧とすることができる。そして、検出位置の電圧を加算電圧とするときでは、電源供給対象ＩＣに供給される電圧は、電源供給対象ＩＣの動作電源の規定電圧に等しい電圧となる。また、フレキシブルフラットケーブルの芯線の厚みを変更するときでは、この変更に伴って、低圧ＩＣ用直流出力の経路における電圧降下量が変化する。また、異なるＩＣに流れる電流に変動が生じたときには、接地レベルに流れる電流に変動が生じる。しかし、接地レベルの経路を複数の芯線によって形成するときでは、接地レベルの等価的な直流抵抗成分が小さくなる。従って、接地レベルに流れる電流の変動によって生じる第２のプリント配線基板の接地レベルの電位変動は微小な値に抑制される。このため、回路規模の増大を招くことなく、且つ、低圧ＩＣ用直流出力の経路に降圧用素子を挿入することなく、電源供給対象ＩＣに規定電圧の動作電源を供給することができ、且つ、低圧ＩＣ用直流出力の経路における電圧降下量の最適化を容易にすることができ、且つ、異なるＩＣに流れる電流に変動が生じるときにも、電源供給対象ＩＣの動作電源の電圧変動を抑制することができる。
【００２０】
また本考案によれば、低圧ＩＣ用直流出力の電流経路における電圧降下量に、電源供給対象ＩＣの動作電源の規格電圧を加算した値（加算電圧）は、検出位置における電圧の設定可能範囲内の電圧となっている。従って、検出位置の電圧を加算電圧とすることができる。そして、検出位置の電圧を加算電圧とするときでは、電源供給対象ＩＣに供給される電圧は、電源供給対象ＩＣの動作電源の規格電圧に等しい電圧となる。このため、回路規模の増大を招くことなく、且つ、低圧ＩＣ用直流出力の経路に降圧用素子を挿入することなく、電源供給対象ＩＣに規定電圧の動作電源を供給することができる。
【００２１】
また、さらに、フレキシブルフラットケーブルの芯線の厚みを変更するときでは、この変更に伴って、低圧ＩＣ用直流出力の経路における電圧降下量が変化するので、低圧ＩＣ用直流出力の経路における電圧降下量の最適化を容易にすることができる。
【００２２】
また、さらに、異なるＩＣに流れる電流に変動が生じたときには、接地レベルに流れる電流に変動が生じる。しかし、接地レベルの経路を複数の芯線によって形成するときでは、接地レベルの等価的な直流抵抗成分が小さくなる。このため、接地レベルに流れる電流の変動によって生じる第２のプリント配線基板の接地レベルの電位変動は微小な値に抑制される。従って、異なるＩＣに流れる電流に変動が生じるときにも、電源供給対象ＩＣの動作電源の電圧変動を抑制することができる。
【考案を実施するための最良の形態】
【００２３】
以下、本考案の実施の形態について図を参照して説明する。
【００２４】
図１は、本考案に係る電子装置の一実施形態である光ディスク装置（具体的にはＤＶＤプレイヤ）の基板の部品配置および低圧ＩＣ用直流出力の経路の概略を示す説明図、図２は、実施形態の電気的構成および電源経路の等価回路を示す説明図である。
【００２５】
図において、第１のプリント配線基板１には、複数種の電圧の直流出力１２１，１２２を生成する（その他の直流出力も生成するようになっている）スイッチング電源回路１２と、スイッチング電源回路１２から出力される直流出力を動作電源として、低圧ＩＣ用直流出力５を生成する電圧安定化回路１１とが設けられている。そして、第２のプリント配線基板２には、動作電源の規格電圧が低圧ＩＣ用直流出力５の電圧より低い電圧となっている電源供給対象ＩＣ２１が設けられている。また、第２のプリント配線基板２には、ドライバＩＣ２２、ＳＤＲＡＭ２３、フラシュメモリ２４、および、ＤＡＣ２５が設けられている。
【００２６】
電圧安定化回路１１は、レギュレータＩＣ（４端子レギュレータ）１３と分圧用抵抗Ｒ１８，Ｒ１９とを備えている。そして、レギュレータＩＣ１３は、降圧回路１３１とエラーアンプ１３２と基準電圧源１４とを備えている。そして、エラーアンプ１３２は、分圧用抵抗Ｒ１８，Ｒ１９によって分圧された電圧と基準電圧源１４から与えられる電圧との差異を検出し、検出結果を誤差信号として、降圧回路１３１に出力する。降圧回路１３１は、誤差信号により示される誤差量が０となるように、低圧ＩＣ用直流出力５の電圧を制御する。
【００２７】
電源供給対象ＩＣ２１は、光ディスク４１から再生された信号の処理を行うＩＣとなっている。このため、光ピックアップ４２からの出力が導かれている。また、光ピックアップ４２を半径方向に移動させる機構部４３のモータ（図示を省略）等を駆動するためのドライバＩＣ２２に駆動制御信号を出力する。
【００２８】
また、電源供給対象ＩＣ２１には、各種の設定データ等を記憶するためのフラシュメモリ２４が接続されるとともに、光ピックアップ４２の出力を所定処理して得られた圧縮映像音声信号を伸長処理するときのワークエリアとなるＳＤＲＡＭ２３が接続されている。また、電源供給対象ＩＣ２１には、伸長処理した後のデジタル映像信号とデジタル音声信号とをアナログ映像信号とアナログ音声信号とに変換するＤＡＣ（Ｄ／Ａ変換用ＩＣ）２５が接続されている。
【００２９】
第１のプリント配線基板１にはコネクタ１８が設けられ、第２のプリント配線基板２にはコネクタ２８が設けられている。そして、コネクタ１８とコネクタ２８とはフレキシブルフラットケーブル３を介して互いに接続されるようになっている。
【００３０】
以下に、低圧ＩＣ用直流出力５の経路について説明すると、第１のプリント配線基板１における低圧ＩＣ用直流出力５の経路１７における位置１５は、低圧ＩＣ用直流出力５の電圧誤差の検出対象となる電圧を検出する検出位置となっている。すなわち、抵抗Ｒ１８が低圧ＩＣ用直流出力５の経路１７に接続された位置となっている。
【００３１】
また、図１に示したように、電圧安定化回路１１から出力される低圧ＩＣ用直流出力５は、第１のプリント配線基板１においてはプリント配線パターン１７（経路１７の符号と同じ符号を付与している）を介してコネクタ１８に導かれた後、フレキシブルフラットケーブル３の１本の芯線３７を介してコネクタ２８に導かれている。そして、コネクタ２８に導かれた低圧ＩＣ用直流出力５は、第２のプリント配線基板２におけるプリント配線パターン２７を介して、電源供給対象ＩＣ２１の電源端子（ＩＣ給電位置）２１１に導かれている。
【００３２】
また、スイッチング電源回路１２から出力される直流出力１２１，１２２は、コネクタ１８、フレキシブルフラットケーブル３、コネクタ２８を介して、第２のプリント配線基板２に導かれている（この経路は図１では図示が省略されている）。また、第１のプリント配線基板１における接地レベルは、コネクタ１８、フレキシブルフラットケーブル３の５本の芯線、および、コネクタ２８を介して、第２のプリント配線基板２に導かれている（この経路は、図１では図示が省略されている）。
【００３３】
図２における抵抗Ｒ１１は、電圧安定化回路１１における検出位置１５からコネクタ１８までのプリント配線パターン１７（低圧ＩＣ用直流出力５の経路のうち、範囲５１に対応するプリント配線パターン）の等価的な直流抵抗成分を示している。また、抵抗Ｒ３１は、フレキシブルフラットケーブル３における芯線３７（低圧ＩＣ用直流出力５の経路のうち、範囲５３に対応する経路）の等価的な直流抵抗成分を示している。また、抵抗Ｒ２１は、低圧ＩＣ用直流出力５の経路のうち、コネクタ２８からＩＣ給電位置２１１までのプリント配線パターン２７（低圧ＩＣ用直流出力５の経路のうち、範囲５２に対応するプリント配線パターン）の等価的な直流抵抗成分を示している。
【００３４】
また、抵抗Ｒ１２，Ｒ１３は、第１のプリント配線基板１における直流出力１２１，１２２の経路を形成するプリント配線パターンの等価的な直流抵抗成分を示しており、抵抗Ｒ３２，Ｒ３３は、フレキシブルフラットケーブル３の芯線のうち、直流出力１２１，１２２の経路となる芯線のそれぞれの等価的な直流抵抗成分を示している。また、抵抗Ｒ３５〜Ｒ３９は、フレキシブルフラットケーブル３の芯線のうち、第１のプリント配線基板１における接地レベルと第２のプリント配線基板２における接地レベルとを接続する５本の芯線のそれぞれの等価的な直流抵抗成分を示している。従って、抵抗Ｒ３１〜３３，Ｒ３５〜Ｒ３９の各値は互いに等しい。
【００３５】
以下に補足的な説明を行うと、電圧安定化回路１１における基準電圧源１４の電圧は１．２５Ｖとなっている。従って、電圧安定化回路１１から出力される低圧ＩＣ用直流出力５の電圧（検出位置１５における電圧）の設定可能範囲は、１．２５Ｖより高い電圧範囲となっており、検出位置１５の電圧を１．２５Ｖより低い電圧に安定化することはできない。一方、電源供給対象ＩＣ２１の動作電源の規格電圧は１．２Ｖとなっている。
【００３６】
次に、低圧ＩＣ用直流出力５の経路における電圧降下量について説明する。抵抗Ｒ１１による電圧降下量をＶ１１、抵抗Ｒ３１による電圧降下量をＶ３１、抵抗Ｒ２１による電圧降下量をＶ２１とする。また、ＩＣ給電位置２１１における電圧をＶ２１１とし、低圧ＩＣ用直流出力５の検出位置１５における電圧をＶ１５とすると、
Ｖ２１１＝Ｖ１５−（Ｖ１１＋Ｖ３１＋Ｖ２１）
として示される。すなわち、
Ｖ１５＝Ｖ２１１＋（Ｖ１１＋Ｖ３１＋Ｖ２１）
となる。一方、ＩＣ給電位置２１１における電圧Ｖ２１１は、電源供給対象ＩＣ２１に供給される動作電源の電圧となる。従って、検出位置１５からＩＣ給電位置２１１までの低圧ＩＣ用直流出力５の電流経路１７，３７，２７における電圧降下量（Ｖ１１＋Ｖ３１＋Ｖ２１）に、電源供給対象ＩＣ２１の動作電源の規格電圧（１．２Ｖ）を加算した値が、低圧ＩＣ用直流出力５の設定可能範囲の最小値である１．２５Ｖより大きくなるとき、すなわち、
１．２５Ｖ＜１．２Ｖ＋（Ｖ１１＋Ｖ３１＋Ｖ２１）（第１式とする）
となるときでは、電源供給対象ＩＣ２１に規格電圧である１．２Ｖの動作電源を供給することが可能となることを意味する。
【００３７】
以上のことから、本実施形態では、第１式により示す条件が満たされるように、フレキシブルフラットケーブル３の芯線の導体の厚みを設定している。すなわち、フレキシブルフラットケーブル３の芯線の厚みについては、１８μｍ、３５μｍ、５０μｍの３種が入手可能となっている。このため、例えば、芯線の厚みが５０μｍのフレキシブルフラットケーブル３を使用すると第１式が満たされなくなる場合では、フレキシブルフラットケーブル３を、芯線の厚みが３５μｍであるフレキシブルフラットケーブル３に変更し、フレキシブルフラットケーブル３における芯線３７の電圧降下量Ｖ３１を増大させることによって、第１式を満たすようにしている。
【００３８】
そして後、ＩＣ給電位置２１１における電圧が１．２Ｖとなるように、電圧安定化回路１１から出力される低圧ＩＣ用直流出力５の電圧（検出位置１５の電圧）を設定している（分圧用抵抗Ｒ１８，Ｒ１９の値を調整することによって行う）。なお、検出位置１５の電圧が１．２５Ｖであるとき、ＩＣ給電位置２１１の電圧が１．２Ｖとなる場合では、エラーアンプ１３２のマイナス入力を検出位置１５に直接に接続することができ、分圧用抵抗Ｒ１８，Ｒ１９を省略することができる。
【００３９】
なお、第１式を満たすためには、フレキシブルフラットケーブル３の芯線の厚みを変更する方法以外に、低圧ＩＣ用直流出力５の電流経路となるプリント配線パターン１７，２７の幅や経路長を変更する方法を用いることもできる（この方法は、フレキシブルフラットケーブル３の芯線の厚みを変更する方法に比すると、手間を要する方法となる）。
【００４０】
上記構成からなる実施形態の作用について説明する。
【００４１】
既に説明したように、検出位置１５における電圧Ｖ１５（プリント配線パターン１７における電圧降下量Ｖ１１と芯線３７の電圧降下量Ｖ３１とプリント配線パターン２７における電圧降下量Ｖ２１との加算値に、電源供給対象ＩＣ２１の動作電源の規格電圧を加算した値）は、ＩＣ給電位置２１１の電圧が１．２Ｖとなるように設定されている。
【００４２】
すなわち、検出位置１５における電圧Ｖ１５については、基準電圧源１４の電圧である１．２５Ｖより高い電圧範囲に設定しているにもかかわらず、電源供給対象ＩＣ２１には、基準電圧源１４の電圧より低い電圧である１．２Ｖの動作電源が供給されている。つまり、電源供給対象ＩＣ２１には規格を満たす電圧の動作電源が供給される。このため、電源供給対象ＩＣ２１は所定の動作を安定して行うことができる。
【００４３】
また、第１のプリント配線基板１の接地レベルと第２のプリント配線基板２の接地レベルとは、フレキシブルフラットケーブル３の５本の芯線によって互いに接続されている。すなわち、第１のプリント配線基板１の接地レベルと第２のプリント配線基板２の接地レベルとは、芯線３７の１／５の直流抵抗成分によって互いが接続されている。
【００４４】
従って、例えば、ドライバＩＣ２２に流れる電流が変動する（例えば、５０ｍＡ〜２００ｍＡの範囲で変動する）ときであっても、第１のプリント配線基板１の接地レベルと第２のプリント配線基板２の接地レベルとの電圧の差異は、無視することが可能な範囲に抑制される（電源供給対象ＩＣ２１の動作電源の電流は約７００ｍＡであり、ドライバＩＣ２２の電流の変動幅は、電源供給対象ＩＣ２１の動作電源の電流の約１／５となっている）。従って、ドライバＩＣ２２に流れる電流が変動するときであっても、電源供給対象ＩＣ２１に供給される動作電源の電圧（第２のプリント配線基板２における接地レベルの電圧とＩＣ給電位置２１１の電圧との差異電圧）の変動は充分に小さい値に抑制される。従って、電源供給対象ＩＣ２１は、ドライバＩＣ２２に流れる電流が変動するときであっても、安定した動作を行うことができる。
【００４５】
なお、本考案は上記実施形態に限定されず、光ディスク装置に適用した場合について説明したが、電源供給対象ＩＣの動作電源の規格電圧が、電圧安定化回路から出力される低圧ＩＣ用直流出力の電圧の設定可能範囲の最低値より低くなる場合では、その他の装置にも、同様に適用することができる。
【００４６】
また、第１のプリント配線基板１の接地レベルと第２のプリント配線基板２の接地レベルとを接続するフレキシブルフラットケーブル３の芯線の数については、５本とした場合について説明したが、その他の本数（例えば、４本や６本等）とすることができる。
【図面の簡単な説明】
【００４７】
【図１】本考案に係る電子装置の一実施形態である光ディスク装置（具体的にはＤＶＤプレイヤ）の基板の部品配置および低圧ＩＣ用直流出力の経路の概略を示す説明図である。
【図２】実施形態の電気的構成および電源経路の等価回路を示す説明図である。
【符号の説明】
【００４８】
１  第１のプリント配線基板
２  第２のプリント配線基板
３  フレキシブルフラットケーブル
５  低圧ＩＣ用直流出力
１１  電圧安定化回路
１５  検出位置
３７  芯線
２１１  ＩＣ給電位置
【図１】
0003117685.tif 000003
【図２】
0003117685.tif 000004